(57)【要約】【課題】            床面との段差を解消し、視覚障害者等を確実に誘導できる弾性床マットを提供する。【解決手段】        この発明のマットは、一定の厚みを有するシート状又はプレート状の弾性部材よりなり床面上に敷設されるマット１であって、該マット１の両側端側の上面を緩やかな下降傾斜面からなる縁部３とし、中央部を縁部３より肉厚に形成した。  また上記中央部を縁部３より弾力性に富む弾力部２とし、該弾力部２を接地面側に形成した所定深さの上向きの凹部からなる空隙部４と、該空隙部４内に下向きに突出しその下端面が床面側に弾力的に接する多数の突起部６とで構成した。  さらに突起部６周面を接地面側に向かって先細となるようテーパー面又は湾曲面に形成し、突起部６の接地面を上向きに湾曲した凹面状の吸着面７とした。【選択図】          図３
2005098021.tif 000002
【特許請求の範囲】
【請求項１】
一定の厚みを有するシート状又はプレート状の弾性部材よりなり床面上に敷設されるマット（１）であって、該マット（１）の両側端側の上面を緩やかな下降傾斜面からなる縁部（３）とし、中央部を縁部（３）より肉厚に形成してなる弾性床マット。
【請求項２】
一定の厚みを有するシート状又はプレート状の弾性部材よりなり床面上に敷設されるマット（１）であって、該マット（１）の両側端側の上面を緩やかな下降傾斜面からなる縁部（３）とし、中央部を縁部（３）より弾力性に富む弾力部（２）とし、上記弾力部（２）を接地面側に形成した所定深さの上向きの凹部からなる空隙部（４）と、該空隙部（４）内に下向きに突出しその下端面が床面側に弾力的に接する多数の突起部（６）とで構成してなる弾性床マット。
【請求項３】
突起部（６）周面が接地面側に向かって先細となるようテーパー面又は湾曲面に形成された請求項２の弾性床マット。
【請求項４】
突起部（６）の接地面を上向きに湾曲した凹面状の吸着面（７）にした請求項２又は３の弾性床マット。
【請求項５】
マット（１）の弾力部（２）の前後端の一方又は両方にマット（１）の厚みと同一高さの端壁部（９）を形成し、該端壁部（９）を隣接させて敷設したマット（１）の端部同士が互いに係合して嵌合し合うような凹凸状に形成した請求項２，３又は４の弾性床マット。
【請求項６】
マット（１）の前後端の少なくとも一端の上面を緩やかな下降傾斜面からなる端縁部（８）とした請求項２，３，４又は５の弾性床マット。
【請求項７】
マット（１）露出表面に微細な凹凸面からなる滑り止めを施した請求項１，２，３，４，５又は６の弾性床マット。
【発明の詳細な説明】
【技術分野】
【０００１】
この発明は、視覚障害者（例えば、全盲者，弱視者等）の移動のための、認知，識別機能を備えた弾性床マットに関する。
【背景技術】
【０００２】
従来、視覚障害者の歩行を誘導する手段として、駅構内，公共の建物の通路には、特許文献１中の図４に示すような点字ブロックや点字タイルが敷設されている。この点字ブロックやタイルは、該表面に歩行者の誘導の助けとなる凹凸を付した正方形又は長方形のブロックを歩行床面に埋設又は固着するものがある。また主として立ち作業を行う作業場や調理場等の作業者の足，腰等を疲れや障害等から保護するマットとして特許文献２に示すものが公知である。
【特許文献１】特開２００２−２５００１６号公報（第２頁、図４）
【特許文献２】特開２０００−７０１０８号公報（図２）
【発明の開示】
【発明が解決しようとする課題】
【０００３】
しかし、上記のように設置された点字ブロック等は、その表面の凹凸や段差等により、視覚障害者や肢体不自由者にとっては歩行時の躓きによる転倒、雨天時や降雪季等の表面の濡れや氷結による転倒等の危険がある。
【０００４】
また病院や肢体不自由者の施設等では車椅子，移動ベッド等の走行に際し、ブロックの表面の凹凸や段差により直進走行が妨げられ、大きな振動を与えて患者等に大きな負担や危険を発生させる等の問題があり、現在病院等では点字ブロックの使用が禁止されている。
【０００５】
さらに、点字ブロックを既存の床に新たに設置する場合、厚みを持った構造であるために、既存の床材を点字ブロックの幅で切除し、その切除部分に点字ブロックを嵌め込んで埋設する必要がある。このように床面の切除作業や点字ブロックの埋設作業に時間と労力を要し、コスト高となっていた。
【０００６】
その他、立ち作業の足や腰等を保護するための特許文献２のものは、足腰の疲れや障害を防止する点では有効であるが、構造が複雑なためにコスト高であり、重量も大きく取扱いも不便であるという欠点があった。
この発明は、これらの課題を解決又は改善しようとするものである。
【課題を解決するための手段】
【０００７】
上記課題を解決するための本発明の弾性床マットは、第１に、一定の厚みを有するシート状又はプレート状の弾性部材よりなり床面上に敷設されるマット１であって、該マット１の両側端側の上面を緩やかな下降傾斜面からなる縁部３とし、中央部を縁部３より肉厚に形成してなることを特徴としている。
【０００８】
第２に、一定の厚みを有するシート状又はプレート状の弾性部材よりなり床面上に敷設されるマット１であって、該マット１の両側端側の上面を緩やかな下降傾斜面からなる縁部３とし、中央部を縁部３より弾力性に富む弾力部２とし、上記弾力部２を接地面側に形成した所定深さの上向きの凹部からなる空隙部４と、該空隙部４内に下向きに突出しその下端面が床面側に弾力的に接する多数の突起部６とで構成してなることを特徴としている。
【０００９】
第３に、突起部６周面が接地面側に向かって先細となるようテーパー面又は湾曲面に形成されたことを特徴としている。
【００１０】
第４に、突起部６の接地面を上向きに湾曲した凹面状の吸着面７にしたことを特徴としている。
【００１１】
第５に、マット１の弾力部２の前後端の一方又は両方にマット１の厚みと同一高さの端壁部９を形成し、該端壁部９を隣接させて敷設したマット１の端部同士が互いに係合して嵌合し合うような凹凸状に形成したことを特徴としている。
【００１２】
第６に、マット１の前後端の少なくとも一端の上面を緩やかな下降傾斜面からなる端縁部８としたことを特徴としている。
【００１３】
第７に、マット１露出表面に微細な凹凸面からなる滑り止めを施したことを特徴としている。
【発明の効果】
【００１４】
以上の如く構成される本発明の緩衝用床マットによれば、以下に示すような効果を奏するものである。
【００１５】
（１）マットの両側端側の縁部の上面を緩やかな下降傾斜面としたことにより、床面とマットとの段差が解消され、躓きによる転倒防止のほか、車椅子，移動ベッドの走行時の振動も抑えることができる。また弾力部が接地面側の所定深さ上向きの凹部からなる空隙部と、該空隙部内の下向きに突出した弾力性を有する多数の突起部とで構成されているので、歩行者等にとっては縁部と弾力部さらには既存の床面とマット又は弾力部との触感が異なる。このことにより視覚障害者にとっては歩行時の着地感，白杖等の接触感や音の変化を感知することによって、視覚障害者等を確実に誘導できる利点がある。
【００１６】
（２）突起部周面を接地面側に向かって先細となるようにテーパー面又は湾曲面に形成したことにより、弾力性を有する突起部の先細の接地面側が弾力部上面からの圧力を床面に対して効率良く吸収し、弾力部の弾性を向上させることができる。
【００１７】
（３）突起部の接地面を上向きに湾曲した凹面状の吸着面にしたことにより、円滑な床面に対して吸盤としての機能が働き、マットの床面への固定性が向上し、マットのずれを防止することができる。
【００１８】
（４）マットの弾力部の前後端に端壁部を形成し、隣接するマットの端部同士が互いに係合して嵌合し合うような凹凸状に形成したことにより、マットの厚みと同一高さの接合部となるので、マット同士の接続の固定性が増すとともに、接合部の接合によりマットの歩行面をストレス無く歩行することができる。
【００１９】
（５）マットの前後端の少なくとも一端の上面を緩やかな下降傾斜面からなる端縁部としたことにより、マットの始端部及び終端部における躓きによる転倒防止のほか、車椅子，移動ベッドの走行時の振動も抑えることができる。
【発明を実施するための最良の形態】
【００２０】
以下本発明の実施形態を誘導用マットに応用した場合について図面に基づき説明する。図１，図２は本発明のマットの表面と裏面を示す斜視図であり、図３，４はそれぞれ図１のＡ−Ａ断面図，Ｂ−Ｂ断面図である。
【００２１】
マット１は中央の弾力部２と両側端側の縁部３を備え、一定の弾力性を有するゴム又は合成樹脂材若しくはこれらの発泡材等からなり、該縁部３は床面との段差を解消するために上面が外側端に向かって下降方向に傾斜する傾斜面を形成している。例えばマット１の厚みにもよるが、縁部３の傾斜角は車椅子の走行に衝撃を感じない程度の２°〜１５°程度に形成されている。またこの傾斜面は必ずしも平坦面である必要はなく、丸みをおびた円弧状の断面の面であってもよい。マット１の材質は透明材であってもよく、その場合は床面との間の一部に透視可能な矢印等の標識を介挿することもできる。
【００２２】
また弾力部２の接地面側に所定深さ上向きの凹状の空隙部４を設け、該空隙部４内には突起部６を下向きに等間隔に多数突設し、突起部６の下端面が床面側に弾力的に接することによって弾力部２に弾力性を与える構成となっている。この例では突起部６は略円柱形状を呈しており、その周面は接地面側に向かってテーパー状又は二次曲線状に先細に形成され、突起部６の下端面の端縁部が湾曲状に面取りされている。そして突起部６の先端の接地面は図３，４の断面図で示すように、凹面状の吸着面７が形成されている。
【００２３】
さらにマット１の始端又は終端では図１に示すように端部マット１´を設け、該端部マット１´の始端部または終端部には端縁部８が形成され、該端縁部８は前述の縁部３と同様に終端又は始端に向かって斜め方向に緩やかに傾斜する傾斜面が形成されている。マット１，１´の露出する表面には、縞模様，点模様その他任意の模様等からなる微細な凹凸模様を形成し、又は砂状物を付着させる等の方法により、滑り止め加工が施されている（図１参照）。
【００２４】
マット１同士の接合について説明すると、マット１の弾力部２の前後端の両方にマットの厚みと同一高さの端壁部９を形成するとともに、該端壁部９を隣接させて敷設したマット１の端部同士が互いに係合して嵌合し合うような凹凸状の接合部１１を設けた。この例では上記接合部１１は互いに嵌合係止して接合するあり接合である。また端部マット１´では前後方向において、一方の端部では端縁部８が形成され、他方の端部ではマット１と同様に端壁部９と接合部１１が形成され、マット１の接合部１１と互い係合し合い嵌合係止する。
【００２５】
施工時には、比較的短寸の単位長さに形成されたマット１を、床等の所定位置に接着固定し、接合部１１を互いに嵌合係止して接合する。よって既存の床面への敷設の場合でも従来の点字ブロックとは異なり、床を掘削することなく敷設が可能となった。また両面テープを用いた既存の床面への接着固定による敷設が可能であるために、補修や張替えが容易であるほか、会議やイベント会場において仮設する場合は床と接着することなく、置くだけでも使用することができる。
【００２６】
図５はマット１及び端部マット１´を用いた誘導路の交差点において、予め十字路，Ｔ字路，Ｌ字路，Ｙ字路等の交差部材を製造することなく、マット１及び端部マット１′のみを用いて交差点を構成した例を示している。ただし図５では十字路を形成する場合のみ示した。この例では誘導路が交差する部分は、床面がそのまま露出した平面空間となっているため、例えば視覚障害者の通常歩行時にも、誘導マットと床面に対する白杖（ステッキ）や足の接触感覚の違いによって交差点であることを感知することになり、より明確な識別が可能となる。
【００２７】
上記のように構成されるマットは、必ずしも歩行者等の誘導マットとしてだけではなく、例えば各種作業所等で立ち作業を行う作業者用に立ち作業位置に敷設する緩衝用マットとして利用することが可能であり、平面視形状では長方形のものに限らず正方形，円形，その他多角形であってもよい。また端部マット１´は端部コーナーが角に加工された構造となっているが、その端部または両コ−ナーをアール状に形成することもできる。
【産業上の利用可能性】
【００２８】
この発明の弾性床マットは視覚障害者の歩行誘導路としてだけでなく、バスや電車などの出口の案内，バス停やホームで乗車位置の表示等の行先案内表示として利用できる他、プールサイド，大浴場，空港，駅構内の滑り止め等としても広く利用できる。その他従来公知の音声誘導機器との併用により、視覚障害者のための正確な歩行誘導が可能となる。
【００２９】
なお、上記実施例ではマット１の中央部に弾力部２を設けたものを示したが、屋外の誘導マット等として使用するものでは、耐久性，コスト等の面で弾力部２を設けないものを使用することも可能である。この場合の機能はコンクリート，アスファルト，タイル等の床面とマットの質感の違いを歩行者等に感知させることであり、その他の機能は上記実施例のものと共通する。
【図面の簡単な説明】
【００３０】
【図１】本発明の全体斜視図である。
【図２】本発明のマットの裏面を示す斜視図である。
【図３】図１のＡ−Ａ断面図である。
【図４】図１のＢ−Ｂ断面図である。
【図５】マットの交差部の設置方法を示す平面図である。
【符号の説明】
【００３１】
１    マット
１´  端部マット
２    弾力部
３    縁部
４    空隙部
６    突起部
７    吸着面
８    端縁部
９    端壁部
１１  接合部
【図１】
2005098021.tif 000003
【図２】
2005098021.tif 000004
【図３】
2005098021.tif 000005
【図４】
2005098021.tif 000006
【図５】
2005098021.tif 000007